(57)【特許請求の範囲】
【請求項１】
両端部に中心孔及び中央部に収納室を有する本体と、
前記収納室に設置する回転体と、からなり、
前記回転体は該回転体の中心から偏心する位置に貫通孔を有し、
前記貫通孔及び前記中心孔の中心は回転体が一回転する間に少なくとも一回は一致することを特徴とする、
緩衝具。
【請求項２】
前記回転体を回して前記貫通孔の中心と前記中心孔の中心をずらした状態で前記回転体の回転を止める手段を有することを特徴とする、請求項１記載の緩衝具。
【発明の詳細な説明】
【０００１】
【発明の属する技術分野】
本発明は、衝突物の衝撃を吸収する衝撃吸収柵に用いられる緩衝具に関するものである。
【０００２】
【従来の技術】
衝撃吸収柵に張設したロープ材にかかる衝撃力を吸収する緩衝具として、一対のプレートでロープ材を挟み、ボルトで前記一対のプレートを締め付ける緩衝具が提案されている。この緩衝具は、衝撃吸収柵の支柱などに取り付けて、ロープ材に引張力が発生した際に、ロープ材の周面とプレートとの間に摩擦抵抗が発生して衝撃を吸収する。
【０００３】
【本発明が解決しようとする課題】
前記した従来の緩衝具にあっては、安定した衝撃吸収効果を得るために、一対のプレートによるロープ材の締結力が均等となるように、各ボルトの締結トルクを均等に管理する必要があり、ボルトの締結作業に細心の注意を払わねばならない。
【０００４】
【本発明の目的】
本発明は上記したような従来の問題を解決するためになされたもので、簡易な方法で安定した衝撃吸収効果が得られる緩衝具を提供することを目的とする。
【０００５】
【課題を解決するための手段】
上記のような目的を達成するために、本発明の緩衝具は、両端部に中心孔及び中央部に収納室を有する本体と、前記収納室に設置する回転体と、からなり、前記回転体は該回転体の中心から偏心する位置に貫通孔を有し、前記貫通孔及び前記中心孔の中心は回転体が一回転する間に少なくとも一回は一致することを特徴とするものである。ここで、前記回転体を回して前記貫通孔の中心と前記中心孔の中心をずらした状態で前記回転体の回転を止める手段を設けることができる。また、前記回転体は表面に凹部を有し、前記本体の収納室は前記回転体と接触する内面に凸部を有し、前記回転体を回して前記貫通孔の中心と前記中心孔の中心をずらした状態で前記凹部と前記凸部が嵌合するようにすることもできる。
【０００６】
【本発明の実施の形態】
以下図面を参照しながら本発明の実施の形態について説明する。
【０００７】
＜イ＞全体の構成
緩衝具１は、収納室１１ｂを中央部に有する本体１１と、収納室１１ｂに設置する回転体１２からなる。
図１にロープ材２を配置したときの緩衝具１の斜視図を示す。
【０００８】
＜ロ＞本体
本体１１は、例えば柱状体で、外観は円筒形でも角柱でもよい。
本体の端部１１ｃには、本体軸方向に貫通する中心孔１１ａを有する。両方の端部１１ｃの中心孔１１ａは、軸方向に投影すると重なり、貫通している。
本体１１の中央部には収納室１１ｂを有する。収納室１１ｂは、下記する回転体１２を収納する空間である。収納室１１ｂの上方は回転体１２を設置又は取り外せるように開放しておくことができる。また、回転体１２を予め設置しておき、回転体１２が収納室１１ｂから抜け出ないように上方の一部を閉じておくことも可能である。
収納室１１ｂの内面には、必要に応じて下記の回転体１２に設ける凹部又は凸部と嵌合する凸部又は凹部を設ける。
【０００９】
＜ハ＞回転体
回転体１２は、例えば円柱、角柱などの柱状体で、上記収納室１１ｂの軸方向の幅より短いものである。また、回転体１２は、その縁部からの距離が一定でない位置に貫通孔１２ａを有する。例えば、軸直交方向の断面において、断面の中心から偏心する位置に軸方向に貫通する貫通孔１２ａを設ける。
回転体１２は、例えば取り外し可能な棒材１３を回転体１２に取り付けて、棒材１３を動かすことによって回転させる。
また、回転体１２及び本体１１には、必要に応じて所定の位置で回転体１２の回転を止める手段を設ける。例えば、前記棒材１３を本体に取り付けた係留具（図示せず）に係留する方法が使用できる。
更に、回転体１２に設けた凹部又は凸部を収納室１１ｂ内面に設けた凸部又は凹部に嵌合させる方法もある。
例えば、回転体１２の収納室と接する面に、軸方向に連続する凹部１２ｂを設ける。そして、前記凹部１２ｂに嵌合する凸部１１ｄを収納室１１ｂの所定の位置に設ける。この両者が嵌合したときに回転体１２の回転を止めることができる。
図２に緩衝具の断面図を示す。
【００１０】
＜ニ＞使用方法
最初に、回転体の貫通孔１２ａ及び本体の中心孔１１ａの中心を一致させる。この結果、本体の一方の端面から他方の端面まで貫通する孔が形成される。
そして、貫通した中心孔及び貫通孔にロープ材２を挿通する。この時点では、ロープ材２は真っ直ぐになっている。
ロープ材２を挿通した後に、例えば回転体１２に取り付けた棒材１３を動かして回転体１２を回す。貫通孔１２ａの中心と中心孔１１ａの中心がずれるとロープ材２は凸状になり、曲線部が形成される。図３に緩衝具の断面図を示す。
ロープ材２に曲線部が形成された状態で、回転体１２の回転を止める。回転体１２の回転は、上記した回転を止める手段を使用して止める。
なお、回転体１２と収納室１１ｂの形状によって特別に回転を止める手段を設けなくても止めることも可能である。例えば、回転体１２の軸直交断面を楕円形にし、収納室１１ｂの軸直交断面の幅を楕円の短径に合わせて形成する（図示せず）。この場合、回転体１２を回転させるときは、一旦、収納室１１ｂから回転体１２を抜き出すようにして回す。
【００１１】
＜ホ＞作用
ロープ材２に引張力が生じると、緩衝具１に挿通したロープ材２は緩衝具内を移動する。この時、ロープ材２に曲線部が形成されていれば（例えば凸状）、ロープ材２は緩衝具内で摺動して摩擦抵抗が発生し、衝撃を吸収させることができる。
【００１２】
【実施例】
以下図面を参照しながら本発明の実施例について説明する。
【００１３】
＜イ＞使用例１（図４）
緩衝具１は、落石防護柵などの衝撃吸収柵５をアンカー３などで係留する場合に使用できる。まず、衝撃吸収柵の支柱４または支柱に取り付けたワイヤー（図示せず）に緩衝具１を取り付ける。そして、緩衝具１の中心孔１１ａ及び貫通孔１２ａに通したロープ材２とアンカー３を連結する。
衝撃吸収柵５の支柱にアンカー３と反対方向の力が作用した場合、ロープ材２に引張力が発生し、ロープ材２と緩衝具１との摩擦抵抗で衝撃を吸収する。
【００１４】
＜ロ＞使用例２（図５）
緩衝具１は、衝撃吸収柵５に設置する水平ロープ２１を保持するためにも使用できる。
衝撃吸収柵５の支柱４に有孔の板材４１を取り付け、板材４１を介して緩衝具１の間に水平ロープ２１を張る。
衝突物が衝突して水平ロープ２１に引張力が発生すると、緩衝具１と水平ロープ２１の間に摩擦抵抗が発生して衝撃を吸収する。
【００１５】
【本発明の効果】
本発明の緩衝具は以上説明したようになるから次のような効果を得ることができる。
＜イ＞緩衝具の取り付けは、緩衝具にロープ材を挿通して、緩衝具内部の回転体を回すだけでよい。また、締結力の管理などを必要としない。このため、緩衝具の取り付けが容易に行える。
＜ロ＞緩衝具内部の回転体を固定する位置が決まっている場合は、挿通したロープ材に所定の曲線部を形成することができる。このため、安定した摩擦抵抗力を発生させることができ、安定した衝撃吸収効果を得ることができる。
＜ハ＞締付け力によって摩擦抵抗を生じさせる構成になっていない。このため、時間が経過しても衝撃吸収効果に変化がない。
【図面の簡単な説明】
【図１】本発明の緩衝具の実施例の斜視図
【図２】緩衝具の実施例の軸直交方向の断面図
【図３】図２のＡ−Ａ断面の断面図
【図４】本発明の緩衝具の使用例１の説明図
【図５】本発明の緩衝具の使用例２の説明図
【符号の説明】
１・・・・緩衝具
１１・・・本体
１１ａ・・中心孔
１１ｂ・・収納室
１１ｃ・・端部
１１ｄ・・凸部
１２・・・回転体
１２ａ・・貫通孔
１２ｂ・・凹部
２・・・・ロープ材
【図１】
0003635459.tif 000002
【図２】
0003635459.tif 000003
【図３】
0003635459.tif 000004
【図４】
0003635459.tif 000005
【図５】
0003635459.tif 000006